(57)【特許請求の範囲】
【請求項１】
水底地盤に貫入される周壁部及びその一端を塞ぐ天板部で構成され引張材を介して浮体構造物を前記水底地盤に係留できるようになっているサクションアンカーにおいて、
前記天板部の近傍に設けられたシリンダー状の隔室と、該隔室内を往復動自在に配置され前記引張材又はそれに連結された引張ロッドが前記天板部に挿通された状態で該引張材又は該引張ロッドの下端が連結された支圧板と、前記隔室の内部空間のうち、前記支圧板で仕切られた上方空間に配置され前記支圧板の上昇に伴って該支圧板の上面及び前記天板部の下面に復元力を作用可能な弾性部材とを備えるとともに、前記隔室を、前記上方空間が周辺水域に連通するように前記天板部又は前記周壁部に連通孔を設け、かつ前記隔室の内部空間のうち、前記支圧板で仕切られた下方空間が前記水底地盤の地盤面に延びるように構成したことを特徴とするサクションアンカー。
【請求項２】
前記下方空間が前記周辺水域に連通するように前記天板部又は前記周壁部にオリフィスを設けた請求項１記載のサクションアンカー。
【請求項３】
前記下方空間が前記上方空間を介して前記周辺水域に連通するように前記支圧板にオリフィスを設けた請求項１記載のサクションアンカー。
【請求項４】
前記弾性部材をコイルスプリング又は透水性ゴムで構成した請求項１乃至請求項３のいずれか一記載のサクションアンカー。
【発明の詳細な説明】
【技術分野】
【０００１】
本発明は、主として海底地盤に沈設されるサクションアンカーに関する。
【背景技術】
【０００２】
浮体式の海洋構造物を海上の所定位置に保持するためには、ワイヤーやチェーンで構成された係留索あるいは係留鎖を介して海底のアンカーに係留し、あるいはテンドンと呼ばれる緊張索を介してアンカーに係留する必要があるが、このようなアンカーとしてサクションアンカーが知られている。
【０００３】
サクションアンカーは、筒状周壁部とその一端を塞ぐ天板部とで構成されたサクション構造体をアンカーとして利用するものであって、沈設の際には、筒状周壁部の開口側が下方となるようにサクション構造体を海底に設置した後、筒状周壁部内の水を排水してその内外で水圧差を生じさせ、その水圧差を押込み力として筒状周壁部を海底地盤に貫入することができるようになっているものであり、サクション構造体を設置するための起重機船やサクション力を与える排水ポンプさえあれば、それ以外は特殊な施工機械を使用せずに施工可能であるとともに、水平力に対しては、筒状周壁部の外周面に作用する海底地盤からの受動土圧が抵抗力となるため、工期短縮が可能でかつ強度特性に優れたアンカー方式として、北海油田の石油掘削プラットホーム等で採用されている。
【０００４】
一方、温室効果ガスの排出抑制が可能で安全性にも優れたあらたなエネルギー源確保が急務となっている昨今、我が国においては洋上風力発電が有望視されているが、その設置方法については、周辺海域の水深が比較的大きいことから、サクションアンカーを用いた浮体式の導入が検討されている。
【先行技術文献】
【特許文献】
【０００５】
【特許文献１】特開２０１５−３４４３０号公報
【発明の概要】
【発明が解決しようとする課題】
【０００６】
波浪や強風といった外力が洋上風力発電をはじめとした浮体式の海洋構造物に作用した場合、サクションアンカーには緊張索等を介して引張力が伝達されるが、サクションアンカーの自重とその周面に作用する海底地盤からの周面摩擦力とを合わせた荷重が抵抗力となり、該抵抗力が上述の引張力を支持する。
【０００７】
そのため、外力による引張力が上述の抵抗力以下である場合には、引抜きに関するサクションアンカーの健全性も確実に維持される。
【０００８】
一方、過大な外力が海洋構造物に作用して引張力が上述の抵抗力を上回ると、サクションアンカーが海底地盤から引き抜かれる現象が発生する。
【０００９】
その際、サクションアンカーには、内外で大気圧及び水圧の圧力差（負圧）が生じ、該負圧がサクションアンカーを下方に押し込んで引抜きに抵抗するものの、該引抜き変位は、過大な外力が入力するたびに累積して大きくなるため、サクションアンカーにおいては、周面摩擦力による抵抗力が徐々に低下し、やがてはアンカーとしての機能を喪失する。
【００１０】
ちなみに、サクションアンカーの規模を大きくして周面摩擦による抵抗力を増やせば、引張力に対する抵抗力を高めることも可能であるが、その場合には経済性の低下が懸念される。
【課題を解決するための手段】
【００１１】
本発明は、上述した事情を考慮してなされたもので、サクションアンカーの規模を大きくせずとも、引張力に対する抵抗力を高めることが可能なサクションアンカーを提供することを目的とする。
【００１２】
上記目的を達成するため、本発明に係るサクションアンカーは請求項１に記載したように、水底地盤に貫入される周壁部及びその一端を塞ぐ天板部で構成され引張材を介して浮体構造物を前記水底地盤に係留できるようになっているサクションアンカーにおいて、
前記天板部の近傍に設けられたシリンダー状の隔室と、該隔室内を往復動自在に配置され前記引張材又はそれに連結された引張ロッドが前記天板部に挿通された状態で該引張材又は該引張ロッドの下端が連結された支圧板と、前記隔室の内部空間のうち、前記支圧板で仕切られた上方空間に配置され前記支圧板の上昇に伴って該支圧板の上面及び前記天板部の下面に復元力を作用可能な弾性部材とを備えるとともに、前記隔室を、前記上方空間が周辺水域に連通するように前記天板部又は前記周壁部に連通孔を設け、かつ前記隔室の内部空間のうち、前記支圧板で仕切られた下方空間が前記水底地盤の地盤面に延びるように構成したものである。
【００１３】
また、本発明に係るサクションアンカーは、前記下方空間が前記周辺水域に連通するように前記天板部又は前記周壁部にオリフィスを設けたものである。
【００１４】
また、本発明に係るサクションアンカーは、前記下方空間が前記上方空間を介して前記周辺水域に連通するように前記支圧板にオリフィスを設けたものである。
【００１５】
また、本発明に係るサクションアンカーは、前記弾性部材をコイルスプリング又は透水性ゴムで構成したものである。
【００１６】
本発明に係るサクションアンカーにおいては、天板部の近傍にシリンダー状の隔室を設けてあり、該隔室の内部空間には、引張材又はそれに連結された引張ロッドが連結されてなる支圧板を往復動自在に配置してあるとともに、支圧板の上方空間には弾性部材を配置してあり、隔室は、その内部空間のうち、支圧板で仕切られた上方空間が周辺水域に連通するように連通孔を設けてあるとともに、下方空間が水底地盤の地盤面に延びるように構成してある。
【００１７】
このようにすると、引張材に生じる引張力が増加方向に変動したとき、支圧板は、弾性部材に抵抗しつつ、かつ上方空間の水を連通孔を介して流出させながら上昇するとともに、支圧板の下方空間では、水底地盤のうち、周壁部に囲まれた地盤によって、支圧板の上昇に伴う下方空間への水の流入速度が制限される。
【００１８】
そのため、一定時間が経過するまでは、支圧板の下方に真空域（沸点降下によって水中の溶存空気が放出される場合には減圧域となるが、これらをまとめて真空域とよぶ）が形成され、該支圧板の下面には、水圧や大気圧がほとんど作用しなくなる。
【００１９】
一方、支圧板の上面には、水深に応じた水圧と大気圧が継続して作用するため、それらの圧力差が負圧として支圧板に発生し、該負圧によって引張力における増加分の一部が支持される。
【００２０】
すなわち、引張材を介して伝達されてきた引張力の増加分は、従来であればそのすべてが周壁部に伝達し、該周壁部での周面摩擦力が限界周面摩擦力に近い状態であれば、その増加分によって周面摩擦力が限界周面摩擦力に達し、その結果、サクションアンカーが水底地盤から引き抜かれる事態を避けることができなかったが、本発明によれば、引張力の増加分の一部を上述した負圧に負担させることができるため、周面摩擦力が限界周面摩擦力に近い状態であっても、サクションアンカーが水底地盤から引き抜かれる懸念を低減することができる。
【００２１】
ここで、一定時間経過後は、周壁部に囲まれた地盤を介して水が流入し、その水で下方空間が満たされるので、支圧板の下面にも水深に応じた水圧と大気圧が作用する。そのため、支圧板の上下面では、圧力がバランスして負圧が消滅するとともに、弾性部材の復元力によって支圧板が下降して元の状態に戻り、次なる引張力の変動に備える状態となる。
【００２２】
このように本発明によれば、引張力が増加方向に変動したとき、その変動に応答して、換言すれば受動的に支圧板を上昇させて負圧を発生させ、該負圧で変動分の一部を支持するようにしたので、浮体構造物を係留するための引張抵抗力は、周壁部の周面摩擦力と自重とを合算したものに、上述した負圧による抵抗力が加わることとなり、かくして引張力が増加方向に変動したときのサクションアンカーの引抜き抵抗力を高めることが可能となる。
【００２３】
本発明においては、一定時間の経過後、周壁部に囲まれた地盤を介して水が流入することを前提としたが、該地盤が不透水性又は難透水性である場合、支圧板の上昇に伴う下方空間への水の流入速度が過度に制限され、その結果、一定時間が経過した後も下方空間に水が流入せず、次なる引張力の変動に備えることが難しくなることが懸念される。
【００２４】
かかる場合においては、下方空間が周辺水域に連通するように天板部又は周壁部にオリフィスを設けた構成とするか、下方空間が上方空間を介して周辺水域に連通するように支圧板にオリフィスを設けた構成とすればよい。
【００２５】
このようにすると、周壁部に囲まれた不透水性又は難透水性の地盤や上述したオリフィスによって、支圧板の上昇に伴う下方空間への水の流入速度が制限される一方、一定時間経過後は、オリフィスを介して周辺水域から水が流入し該水で下方空間が満たされるので、次なる引張力の変動に備えることが可能となる。
【００２６】
隔室をどのように構成するかは任意であって、周壁部や天板部とは別構成としてもよいが、それらの少なくとも一部を共有する構成が典型例となる。
【００２７】
例えば、周壁部を円筒状の筒体で、天板部を平板でそれぞれ構成してある場合に、これらの周壁部及び天板部で本発明の隔室を構成するとともに該隔室内に支圧板を収納した構成とすることができる。
【００２８】
この構成においては、周壁部の内面、天板部の下面及び支圧板の上面で囲まれた円柱状の空間が本発明の上方空間となり、周壁部の内面、支圧板の下面及び水底地盤の地盤面で囲まれた同じく円柱状の空間が本発明の下方空間となる。
【００２９】
また、周壁部よりも外寸が小さな筒状壁体をその内側空間が周壁部の内側空間に連通するように天板部本体の中央近傍から上方に向けて延設し、該筒状壁体の内側に支圧板を収納するようにしてもかまわない。
【００３０】
この場合、サクションアンカーの設置時の状況を考慮すると、一般的には水底地盤の地盤面が天板部本体よりも低くなるため、隔室は、筒状壁体、その上方開口を塞ぐ頂部、天板部本体及び周壁部で構成されるとともに、筒状壁体の内面、頂部の下面及び支圧板の上面で囲まれた円柱状の空間が本発明の上方空間となり、筒状壁体の内面、支圧板の下面、天板部本体の下面、周壁部の内面及び水底地盤の地盤面で囲まれた段状の空間が本発明の下方空間となる。なお、筒状壁体及びその上方開口を塞ぐ頂部は、天板部本体とともに、本発明の天板部を構成する。
【００３１】
また、上述の筒状壁体をその内側空間が周壁部の内側空間に連通するように天板部の中央近傍から下方に向けて垂設し、該筒状壁体の内側に支圧板を収納するようにしてもかまわない。
【００３２】
この場合、隔室は、天板部、筒状壁体及び周壁部で構成されるとともに、筒状壁体の内面、天板部の下面及び支圧板の上面で囲まれた空間が本発明の上方空間となり、筒状壁体の内面と支圧板の下面で囲まれた小径の円柱状空間、周壁部と筒状壁体の間に拡がる環状空間及びそれらと水底地盤の地盤面との間に拡がる大径の円柱状空間が本発明の下方空間となる。
【００３３】
弾性部材は、支圧板上面への水圧及び大気圧の作用を阻害することなく、該支圧板と隔室頂部との間で荷重伝達を可能にするものであれば、どのような構成でもよいが、例えば、コイルスプリングや透水性ゴムで構成することが可能である。
【図面の簡単な説明】
【００３４】
【図１】本実施形態に係るサクションアンカー１の縦断面図。
【図２】引張力が一定のときのサクションアンカー１の作用を示した説明図。
【図３】引張力が増加したときのサクションアンカー１の作用を示した説明図。
【図４】本実施形態の変形例に係るサクションアンカーの縦断面図。
【図５】本実施形態の別の変形例に係るサクションアンカーの縦断面図。
【図６】本実施形態のさらに別の変形例に係るサクションアンカーの縦断面図。
【図７】同じく別の変形例に係るサクションアンカーの縦断面図。
【図８】同じく別の変形例に係るサクションアンカーの縦断面図。
【発明を実施するための形態】
【００３５】
以下、本発明に係るサクションアンカーの実施の形態について、添付図面を参照して説明する。
【００３６】
図１は、本実施形態に係るサクションアンカー１を示した縦断面図である。同図に示すように、本実施形態に係るサクションアンカー１は、海底地盤１３に貫入される円筒状の周壁部２と、その上端を塞ぐ天板部３と、該天板部の近傍に設けられたシリンダー状の隔室４と、該隔室内に配置され引張ロッド９がその下端で連結された円板状の支圧板８とで概ね構成してあり、引張ロッド９の上端に連結された引張材としての緊張索１０を介して浮体構造物（図示せず）を海底地盤１３に係留できるようになっている。
【００３７】
隔室４は、周壁部２のうち、天板部３の直下に延びて該天板部に隣接する隣接部位２ａと天板部３とで構成してあり、上述した引張ロッド９は、天板部３のロッド挿通孔７に挿通された状態で支圧板８に連結してある。
【００３８】
支圧板８は、隔室４内をほぼ鉛直方向に沿って往復動自在となるように配置してあるとともに、該隔室の内部空間を、天板部３の下面と支圧板８の上面との間に拡がる上方空間１４と、支圧板８の下面と海底地盤１３の地盤面４５との間に拡がる下方空間１５とに水密に区画してある。
【００３９】
隔室４の上方空間１４には、支圧板８の上昇に伴って該支圧板の上面及び天板部３の下面に復元力を作用可能な弾性部材としてのコイルスプリング１６を配置してある。
【００４０】
ここで、ロッド挿通孔７は、上方空間１４を周辺水域１７に連通させるための連通孔としての役目も兼ねるようになっている。
【００４１】
本実施形態に係るサクションアンカー１は図２(a)に示すように、浮体構造物としての風力発電施設２１と緊張索１０でつながれており、該緊張索に生じている引張力Ｐが、自重Ｗと海底地盤１３から周壁部２の周面に作用する周面摩擦力Ｒとで支持されることにより、風力発電施設２１が海底地盤１３に係留される。
【００４２】
ここで、同図(b)に示すように、隔室４の上方空間１４及び下方空間１５は、いずれも海水で満たされており、支圧板８の上下面には、それぞれ水深に応じた水圧と大気圧が作用し、両者はバランスする。
【００４３】
また、支圧板８の上面には、天板部３及びコイルスプリング１６を介して伝達される自重Ｗ及び周面摩擦力Ｒが作用し、これらが、引張ロッド９を介して伝達される引張力Ｐと釣り合うので、上述した力の関係は、
Ｐ＝Ｗ＋Ｒ        （１）
となる。ちなみに、コイルスプリング１６には、引張力Ｐに応じた弾性変形が生じる。
【００４４】
一方、風力発電施設２１は、波浪や風あるいは潮位変動を受けて上下左右に並進移動しあるいは揺動するため、該風力発電施設とサクションアンカー１とをつなぐ緊張索１０の引張力も変動する。
【００４５】
例えば図３(a)に示すように風力発電施設２１が風によって並進移動し、それによって緊張索１０の引張力ＰがΔＰだけ増加する場合においては、支圧板８は同図(b)に示すように、コイルスプリング１６に抵抗しつつ、かつロッド挿通孔７から上方空間１４の水を流出させながら上昇するとともに、支圧板８の下方空間１５では、海底地盤１３のうち、周壁部２に囲まれた地盤４６によって、支圧板８の上昇に伴う下方空間１５への水の流入速度が制限される。
【００４６】
そのため、一定時間が経過するまでは、支圧板８の下方に真空域３１が形成され、該支圧板の下面には、水圧や大気圧がほとんど作用しなくなる。
【００４７】
一方、支圧板８の上面には、水深に応じた水圧と大気圧が継続して作用するため、それらの圧力差が負圧ΔＮとなって支圧板８に作用する。
【００４８】
また、支圧板８の上面には、天板部３及びコイルスプリング１６を介して伝達される自重Ｗ及び周面摩擦力（Ｒ＋ΔＲ）が作用し、これらが、引張ロッド９を介して伝達される引張力（Ｐ＋ΔＰ）と釣り合うので、これらの力の関係は、
Ｐ＋ΔＰ＝Ｗ＋Ｒ＋ΔＲ＋ΔＮ      （２）  
となる。
【００４９】
ここで、コイルスプリング１６には、引張力（Ｐ＋ΔＰ−ΔＮ）に応じた弾性変形が生じるが、該弾性変形は、引張力Ｐのときよりも収縮する変形となって復元力が増加し、該復元力の増加分は周壁部２に伝達され、周面摩擦力ΔＲで支持される。
【００５０】
すなわち、緊張索１０及び引張ロッド９を介して伝達されてきた引張力Ｐの増加分ΔＰは、その一部が負圧ΔＮで負担されるため、周壁部２で負担されるべき周面摩擦力は低減される。
【００５１】
ここで、一定時間経過後は、周壁部２に囲まれた地盤４６を介して水が流入し、その水で下方空間１５が満たされるので、支圧板８の下面にも水深に応じた水圧と大気圧が作用する。そのため、支圧板８の上下面では、圧力がバランスして負圧が消滅するとともに、コイルスプリング１６の復元力によって支圧板８が下降して図２に示した元の状態に戻り、次なる引張力の変動に備える状態となる。
【００５２】
なお、引張力Ｐが増加方向に変動している間、下方空間１５が水で満たされることがないよう、周壁部２の高さを適宜設定して流入速度を制限する。
【００５３】
以上説明したように、本実施形態に係るサクションアンカー１によれば、引張力Ｐが増加方向に変動したとき、その変動に応答して、換言すれば受動的に支圧板８を上昇させて負圧ΔＮを発生させ、該負圧で増加分ΔＰの一部を支持するようにしたので、風力発電施設２１を係留するための引張抵抗力は、周壁部２の周面摩擦力Ｒと自重Ｗとを合算したものに、上述した負圧ΔＮによる抵抗力が加わることとなり、かくして引張力Ｐが増加方向に変動したときのサクションアンカー１の引抜き抵抗力を高めることが可能となる。
【００５４】
本実施形態では、上方空間１４を周辺水域１７に連通させるための連通孔をロッド挿通孔７と兼用するようにしたが、これに代えて天板部３に連通孔を設けるようにしてもよいし、支圧板８のストローク上限よりも高く位置決めされるのであれば、周壁部２に連通孔を設ける構成としてもかまわない。
【００５５】
また、本実施形態では、コイルスプリング１６で本発明の弾性部材を構成したが、該弾性部材は、支圧板８上面への水圧及び大気圧の作用を阻害することなく、支圧板８と天板部３との間で荷重伝達ができれば足りるのであって、コイルスプリング１６に代えて、透水性ゴムを採用することが可能である。
【００５６】
また、本実施形態では、本発明の隔室を、周壁部２のうち、天板部３の直下に延びて該天板部に隣接する隣接部位２ａと天板部３とで概ね構成されてなる隔室４としたが、隔室をどのように構成するかは任意であって、図４に示すように、周壁部２よりも外寸が小さな筒状壁体５をその内側空間が周壁部２の内側空間に連通するように天板部本体３ａに上方に延設するとともに該筒状壁体の上部開口を頂部６で塞いで構成してなる隔室４４を採用することができる。
【００５７】
この場合、支圧板８は、筒状壁体５の内側空間に配置され、該支圧板で仕切られた隔室４４の上方空間１４には、支圧板８の上昇に伴って該支圧板の上面及び頂部６の下面に復元力を作用可能なコイルスプリング１６を配置してあるとともに、引張ロッド９は、頂部６に形成されたロッド挿通孔７ａに挿通された状態で支圧板８に連結してあり、頂部６には、隔室４４の上方空間１４を周辺水域１７に連通する連通孔１２を設けてある。
【００５８】
なお、支圧板８の下方であって筒状壁体５の内側に拡がる小径の円柱状空間は、周壁部２と海底地盤１３の地盤面４５とに囲まれた大径の円柱状空間と一体化された段状空間１５ａとして、本発明の下方空間を構成するとともに、筒状壁体５及び頂部６は、天板部本体３ａとともに本発明の天板部を構成する。
【００５９】
また、図５に示すように、筒状壁体５をその内側空間が周壁部２の内側空間に連通するように天板部３の下面から下方に延設してなる隔室５４で本発明の隔室を構成してもよい。
【００６０】
この場合、支圧板８は、筒状壁体５の内側空間に配置され、該支圧板で仕切られた隔室５４の上方空間１４には、支圧板８の上昇に伴って該支圧板の上面及び天板部本体３ｂの下面に復元力を作用可能なコイルスプリング１６を配置してあるとともに、引張ロッド９は、天板部３に形成され連通孔を兼用するロッド挿通孔７に挿通された状態で支圧板８に連結してある。
【００６１】
なお、支圧板８の下方であって筒状壁体５の内側に拡がる小径の円柱状空間は、周壁部２と筒状壁体５の間に拡がる環状空間及びそれらと海底地盤１３の地盤面４５との間に拡がる大径の円柱状空間と一体化された空間１５ｂとして、本発明の下方空間を構成する。
【００６２】
これらの変形例においても、構成及び作用効果は上述の実施形態とほぼ同様であり、ここではその説明を省略する。
【００６３】
また、本実施形態では、一定時間経過後、周壁部２に囲まれた地盤４６を介して水が流入することを前提としたが、該地盤が不透水性又は難透水性である場合、支圧板８の上昇に伴う下方空間１５，１５ａ，１５ｂへの水の流入速度が過度に制限され、その結果、一定時間が経過した後も下方空間１５，１５ａ，１５ｂに水が流入せず、次なる引張力の変動に備えることが難しくなることが懸念される。
【００６４】
かかる場合においては、下方空間１５，１５ａ，１５ｂが、地盤４６とは異なる連通路を介して周辺水域１７に連通するように構成すればよい。
【００６５】
図６は、図１で説明した実施形態において、海底地盤１３の地盤面４５よりも上方でかつ支圧板８の最下位置よりも下方となるように周壁部２にオリフィス６１を設けるか、又は支圧板８にオリフィス６２を設けた構成を示した変形例である。
【００６６】
このようにすると、周壁部２に囲まれた不透水性又は難透水性の地盤４６やオリフィス６１，６２によって、支圧板８の上昇に伴う下方空間１５への水の流入速度が制限される一方、一定時間経過後は、オリフィス６１又はオリフィス６２を介して周辺水域から水が流入し、該水で下方空間１５が満たされるので、次なる引張力の変動に備えることが可能となる。
【００６７】
図７は、図４で説明した変形例において、海底地盤１３の地盤面４５よりも上方でかつ支圧板８の最下位置よりも下方となるように、天板部の一部である筒状壁体５にオリフィス７１を設けるか、又は支圧板８にオリフィス７２を設けた構成を示した変形例である。
【００６８】
このようにすると、周壁部２に囲まれた不透水性又は難透水性の地盤４６やオリフィス７１，７２によって、支圧板８の上昇に伴う下方空間１５ａへの水の流入速度が制限される一方、一定時間経過後は、オリフィス７１又はオリフィス７２を介して周辺水域１７から水が流入し、該水で下方空間１５ａが満たされるので、次なる引張力の変動に備えることが可能となる。
【００６９】
なお、オリフィス７１を、筒状壁体５に代えて、天板部本体３ａ又は周壁部２に設けた構成としてもかまわない。
【００７０】
図８は、図５で説明した変形例において、海底地盤１３の地盤面４５よりも上方となるように、周壁部２にオリフィス８１を設けるか、又は支圧板８にオリフィス８２を設けた構成を示した変形例である。
【００７１】
このようにすると、周壁部２に囲まれた不透水性又は難透水性の地盤４６やオリフィス８１，８２によって、支圧板８の上昇に伴う下方空間１５ｂへの水の流入速度が制限される一方、一定時間経過後は、オリフィス８１又はオリフィス８２を介して周辺水域１７から水が流入し、該水で下方空間１５ｂが満たされるので、次なる引張力の変動に備えることが可能となる。
【００７２】
なお、オリフィス８１を、周壁部２に代えて天板部３に設けた構成としてもかまわない。
【符号の説明】
【００７３】
１                  サクションアンカー
２                  周壁部
２ａ                天板部３に延びる周壁部２の隣接部位
３                  天板部
３ａ                天板部本体（天板部）
４，４４，５４      隔室
５                  筒状壁体（天板部）
６                  頂部（天板部）
７                  ロッド挿通孔（連通孔）
８                  支圧板
９                  引張ロッド
１０                  緊張索（引張材）
１２                  連通孔
１３                  海底地盤（水底地盤）
１４                  上方空間
１５，１５ａ，１５ｂ  下方空間
１６                  コイルスプリング（弾性部材）
１７                  周辺水域
２１                  風力発電施設（浮体構造物）
４５                  海底地盤１３の地盤面
４６                  周壁部２に囲まれた地盤
６１，６２，７１，７２，８１，８２
オリフィス
【図１】
0006521308.tif 000002
【図２】
0006521308.tif 000003
【図３】
0006521308.tif 000004
【図４】
0006521308.tif 000005
【図５】
0006521308.tif 000006
【図６】
0006521308.tif 000007
【図７】
0006521308.tif 000008
【図８】
0006521308.tif 000009